(57)【要約】【課題】 リンクの耐久性およびチェーンの騒音低減の両方を向上させることができる動力伝達チェーンおよびその製造方法ならびに動力伝達装置を提供する。【解決手段】  各リンク11のチェーンの内側になる部分の残留圧縮応力が同外側になる部分に比べて大きくなるように、リンク11に予張力が付与されている。リンク11は、予張力付与前において、所定のピッチＰ、所定の第１ピン固定部傾斜角度αおよび所定の第２ピン固定部傾斜角度βを有しており、ΔＰ＞０、Δα＞０およびΔβ＞０として、予張力付与後において、所定のピッチＰ＋ΔＰ、所定の第１ピン固定部傾斜角度α−Δαおよび所定の第２ピン固定部傾斜角度β＋Δβを有している。【選択図】    図４
2007170617.tif 000002
【特許請求の範囲】
【請求項１】
ピンが挿通される前後挿通部を有する複数のリンクと、一のリンクの前挿通部と他のリンクの後挿通部とが対応するようにチェーン幅方向に並ぶリンク同士を連結する前後に並ぶ複数の第１ピンおよび複数の第２ピンとを備え、第１ピンと第２ピンとが相対的に転がり接触移動することにより、リンク同士の長さ方向の屈曲が可能とされており、第１ピンおよび第２ピンのうちの一方は、一のリンクの前挿通部に固定されかつ他のリンクの後挿通部に移動可能に嵌め入れられ、同他方は、一のリンクの前挿通部に移動可能に嵌め入れられかつ他のリンクの後挿通部に固定されている動力伝達チェーンにおいて、
各リンクのチェーンの内側になる部分の残留圧縮応力が同外側になる部分に比べて大きくなされていることを特徴とする動力伝達チェーン。
【請求項２】
各リンクには予張力が付与されており、各リンクは、予張力付与前において、所定のピッチＰ、所定の第１ピン固定部傾斜角度αおよび所定の第２ピン固定部傾斜角度βを有しており、ΔＰ＞０、Δα＞０およびΔβ＞０として、予張力付与後において、所定のピッチＰ＋ΔＰ、所定の第１ピン固定部傾斜角度α−Δαおよび所定の第２ピン固定部傾斜角度β＋Δβを有していることを特徴とする請求項１の動力伝達チェーン。
【請求項３】
第１ピンと第２ピンとの接触位置の軌跡が円のインボリュート曲線とされており、チェーンの直線部分において第１ピンと第２ピンとが接触している位置は、チェーンの外側と内側とのちょうど中間の線を基準として、同基準線よりも下方位置とされている請求項１または２の動力伝達チェーン。
【請求項４】
円錐面状のシーブ面を有する第１のプーリと、円錐面状のシーブ面を有する第２のプーリと、これら第１および第２のプーリに掛け渡される動力伝達チェーンとを備え、動力伝達チェーンが請求項１から３までのいずれかのものである動力伝達装置。
【請求項５】
請求項１から３までのいずれかの動力伝達チェーンを製造する方法であって、チェーンに予張力を付与する工程を備えており、各リンクのチェーンの内側になる部分の変形代を大きく取っておくとともに、予張力付与工程において、各リンクのチェーンの内側になる部分の残留圧縮応力が同外側になる部分に比べて大きくなるように予張力を付与することを特徴とする動力伝達チェーンの製造方法。
【発明の詳細な説明】
【技術分野】
【０００１】
この発明は、動力伝達チェーン、さらに詳しくは、自動車の無段変速機（ＣＶＴ）に好適な動力伝達チェーンおよびその製造方法ならびに動力伝達装置に関する。
【背景技術】
【０００２】
自動車用無段変速機として、図７に示すように、固定シーブ(2a)および可動シーブ(2b)を有しエンジン側に設けられたドライブプーリ(2)と、固定シーブ(3b)および可動シーブ(3a)を有し駆動輪側に設けられたドリブンプーリ(3)と、両者間に架け渡された無端状動力伝達チェーン(1)とからなり、油圧アクチュエータによって可動シーブ(2b)(3a)を固定シーブ(2a)(3b)に対して接近・離隔させることにより、油圧でチェーン(1)をクランプし、このクランプ力によりプーリ(2)(3)とチェーン(1)との間に接触荷重を生じさせ、この接触部の摩擦力によりトルクを伝達するものが知られている。
【０００３】
動力伝達チェーンとしては、特許文献１に、ピンが挿通される前後挿通部を有する複数のリンクと、一のリンクの前挿通部と他のリンクの後挿通部とが対応するようにチェーン幅方向に並ぶリンク同士を長さ方向に屈曲可能に連結する複数の第１ピンおよび複数の第２ピンとを備え、一のリンクの前挿通部に固定されかつ他のリンクの後挿通部に移動可能に嵌め入れられた第１ピンと一のリンクの前挿通部に移動可能に嵌め入れられかつ他のリンクの後挿通部に固定された第２ピンとが相対的に転がり接触移動することにより、リンク同士の長さ方向の屈曲が可能とされているものが提案されている。
【特許文献１】特開平８−３１２７２５号公報
【発明の開示】
【発明が解決しようとする課題】
【０００４】
この種の動力伝達チェーンでは、リンクの耐久性が特に重要なものとなっており、その耐久性のより一層の向上が課題となっている。また、騒音を低減することも重要な課題となっているが、完成品のチェーンでは、設計時に決定されたリンクの前後挿通部形状が製作過程において若干変化することにより、本来得られるはずの騒音低減効果が得られないことがある。
【０００５】
この発明の目的は、リンクの耐久性およびチェーンの騒音低減の両方を向上させることができる動力伝達チェーンおよびその製造方法ならびに動力伝達装置を提供することにある。
【課題を解決するための手段】
【０００６】
この発明による動力伝達チェーンは、ピンが挿通される前後挿通部を有する複数のリンクと、一のリンクの前挿通部と他のリンクの後挿通部とが対応するようにチェーン幅方向に並ぶリンク同士を連結する前後に並ぶ複数の第１ピンおよび複数の第２ピンとを備え、第１ピンと第２ピンとが相対的に転がり接触移動することにより、リンク同士の長さ方向の屈曲が可能とされており、第１ピンおよび第２ピンのうちの一方は、一のリンクの前挿通部に固定されかつ他のリンクの後挿通部に移動可能に嵌め入れられ、同他方は、一のリンクの前挿通部に移動可能に嵌め入れられかつ他のリンクの後挿通部に固定されている動力伝達チェーンにおいて、各リンクのチェーンの内側になる部分の残留圧縮応力が同外側になる部分に比べて大きくなされていることを特徴とするものである。
【０００７】
各リンクの残留圧縮応力は、張力をチェーンに予め付与（予張）することにより、与えることができる。各リンクにおいて、残留圧縮応力が大きい箇所は、小さい箇所に比べて同じ負荷に対する疲労寿命が優れている。一方、使用状態のチェーンにおいては、チェーンの径方向内側部分がチェーンの径方向外側部分に比べて大きい負荷を受ける。そこで、各リンクのチェーンの内側になる部分（径方向内側部分）の残留圧縮応力を同外側になる部分（径方向外側部分）に比べて大きくすることにより、各リンクの相対的に大きい負荷を受ける部分（チェーンの内側になる部分）の疲労寿命が向上させられる。
【０００８】
予張は、直線状態（無端状に形成される前）のチェーンに施してもよく、無端状としてから施してもよい。予張力付与に際しては、無段変速機のプーリを備えている装置を使用して、これに無端状のチェーンを巻き掛けた状態で張力を付与することが一般的であるが、これに限る必要はない。
【０００９】
予張力は、リンクに発生する最大主応力がリンクの弾性限界応力以上となる大きさとされる。このようにすることで、予張力によって、リンクが塑性変形し、リンク内部に適正な残留圧縮応力が付与され、疲労耐久性能が向上する。
【００１０】
この発明による動力伝達チェーンでは、第１ピンおよび第２ピンの少なくとも一方がプーリと接触して摩擦力により動力伝達する。いずれか一方のピンがプーリと接触するチェーンにおいては、第１ピンおよび第２ピンのうちのいずれか一方は、このチェーンが無段変速機で使用される際にプーリに接触する方のピン（以下では、「第１ピン」または「ピン」と称す）とされ、他方は、プーリに接触しない方のピン（インターピースまたはストリップと称されており、以下では、「第２ピン」または「インターピース」と称す）とされる。
【００１１】
リンクは、例えば、ばね鋼や炭素工具鋼製とされる。リンクの材質は、ばね鋼や炭素工具鋼に限られるものではなく、軸受鋼などの他の鋼でももちろんよい。リンクは、前後挿通部がそれぞれ独立の貫通孔（柱有りリンク）とされていてもよく、前後挿通部が１つの貫通孔（柱無しリンク）とされていてもよい。ピンの材質としては、軸受鋼などの適宜な鋼が使用される。
【００１２】
ピンが前後挿通部に固定される場合の前後挿通部へのピンの固定は、例えば、機械的圧入による挿通部内縁とピン外周面との嵌合固定とされるが、これに代えて、焼き嵌めまたは冷やし嵌めによってもよい。１つの挿通部には、第１ピンと第２ピンとがチェーンの長さ方向に対向するように嵌め合わせられ、このうちのいずれか一方がリンクの挿通部の周面に嵌合固定される。嵌合固定は、挿通部の長さ方向に対して直交する部分の縁（上下の縁）で行われるのが好ましい。この嵌合固定の後、予張力付与工程において予張力が付与されることにより、リンクのピン固定部（ピン圧入部）に均等にかつ適正な残留圧縮応力が高精度に付与される。
【００１３】
各リンクには予張力が付与されており、各リンクは、予張力付与前において、所定のピッチＰ、所定の第１ピン固定部傾斜角度αおよび所定の第２ピン固定部傾斜角度βを有しており、ΔＰ＞０、Δα＞０およびΔβ＞０として、予張力付与後において、所定のピッチＰ＋ΔＰ、所定の第１ピン固定部傾斜角度α−Δαおよび所定の第２ピン固定部傾斜角度β＋Δβを有していることが好ましい。
【００１４】
ここで、ピッチは、前挿通部内における第１ピンと第２ピンとの接触位置から後挿通部内における第１ピンと第２ピンとの接触位置までの距離であり、第１ピン固定部傾斜角度は、リンクの第１ピンが固定されている部分（の第１ピンに接している面）の角度であり、第２ピン固定部傾斜角度は、リンクの第２ピンが固定されている部分（の第２ピンに接している面）の角度である。第１ピン固定部傾斜角度および第２ピン固定部傾斜角度の基準となる線は、どこにとってもよいが、この明細書においては、各角度は、チェーン進行方向を基準とした角度とする。
【００１５】
従来、リンクの適正な形状が設計された場合、予張力付与前の諸元Ｐ、αおよびβがこの設計値とされていたが、これに代えて、予張力付与後の諸元Ｐ＋ΔＰ、α−Δαおよびβ＋Δβが設計値とされ、予張力付与後にこの設計値が得られるように、予張力付与前の諸元Ｐ、αおよびβが選択される。この際、ΔＰ＞０、Δα＞０およびΔβ＞０という関係を確保することで、適正な予張力付与前の諸元を容易に決定することができる。
【００１６】
すなわち、ピッチに関しては、予張力の負荷により増加することを考慮して、リンクの初期ピッチ（予張前ピッチ）が、設計ピッチ（予張後ピッチ）よりも小さく設定される。このピッチ長の変化は、チェーンの全長、チェーン幅方向に並ぶリンクの枚数等により変化するので、チェーンの仕様毎に設定される。ピッチ以外の重要な要素として、第１ピンおよび第２ピンの設定角度があり、これに対応するのが、リンクの第１ピン固定部傾斜角度および第２ピン固定部傾斜角度である。リンク内において固定されている第１ピンと第２ピンとは、（図３に示す完成状態で）わずかに上広がりのほぼ平行状となっており、初期状態（予張前）においては、完成状態（予張後）よりも下側の間隔が狭い上広がりのほぼ平行状となっている。そこで、リンク内において固定されているピンの傾斜角度（第１ピン固定部傾斜角度および第２ピン固定部傾斜角度）についても、予張力の負荷により増減することを考慮して、初期設計で角度変化分を考慮した角度設定が行われる。この角度変化は、チェーンの全長、チェーン幅方向に並ぶリンクの枚数等により変化するので、チェーンの仕様毎に設定される。
【００１７】
第１ピンと第２ピンとの接触位置の軌跡が円のインボリュート曲線とされており、チェーンの直線部分において第１ピンと第２ピンとが接触している位置は、チェーンの外側と内側とのちょうど中間の線を基準として、同基準線よりも下方位置とされていることが好ましい。
【００１８】
このような動力伝達チェーンは、騒音低減効果が優れているが、耐久性を向上させるために予張力を付与した場合に、リンクの形状が変化しやすいものとなっており、そのため、設計時に考慮された騒音低減効果が設計値よりも悪化する可能性がある。そこで、この構成の動力伝達チェーンにおいて、各リンクのチェーンの内側になる部分の残留圧縮応力が同外側になる部分に比べて大きくなされているものとすることにより、完成品のチェーンでは、設計値の諸元を有するリンクが得られることになり、設計通りの騒音低減効果および耐久性能を得ることができる。
【００１９】
第１ピンおよび第２ピンは、例えば、いずれか一方の接触面が平坦面とされ、他方の接触面が相対的に転がり接触移動可能なインボリュート曲面に形成される。また、第１ピンおよび第２ピンは、それぞれの接触面が所要の曲面に形成されるようにしてもよい。
【００２０】
上記の動力伝達チェーンは、いずれか一方のピン（インターピース）が他方のピン（ピン）よりも短くされ、長い方のピンの端面が無段変速機のプーリの円錐状シーブ面に接触し、この接触による摩擦力により動力を伝達するものであることが好ましい。各プーリは、円錐状のシーブ面を有する固定シーブと、固定シーブのシーブ面に対向する円錐状のシーブ面を有する可動シーブとからなり、両シーブのシーブ面間にチェーンを挟持し、可動シーブを油圧アクチュエータによって移動させることにより、無段変速機のシーブ面間距離したがってチェーンの巻き掛け半径が変化し、スムーズな動きで無段の変速を行うことができる。
【００２１】
この発明による動力伝達装置は、円錐面状のシーブ面を有する第１のプーリと、円錐面状のシーブ面を有する第２のプーリと、これら第１および第２のプーリに掛け渡される動力伝達チェーンとを備えたもので、動力伝達チェーンが上記いずれかに記載のものとされる。
【００２２】
この動力伝達装置は、自動車の無段変速機としての使用に好適なものとなる。
【００２３】
この発明による動力伝達チェーンの製造方法は、上記の動力伝達チェーンを製造する方法であって、チェーンに予張力を付与する工程を備えており、各リンクのチェーンの内側になる部分の変形代を大きく取っておくとともに、予張力付与工程において、各リンクのチェーンの内側になる部分の残留圧縮応力が同外側になる部分に比べて大きくなるように予張力を付与することを特徴とするものである。
【発明の効果】
【００２４】
この発明の動力伝達装置によると、各リンクのチェーンの内側になる部分の残留圧縮応力が同外側になる部分に比べて大きくなされているので、各リンクにおいて相対的に大きい負荷を受けるチェーンの内側になる部分の疲労寿命が向上し、リンク全体の疲労寿命が向上する。
【００２５】
そして、この残留圧縮応力を付与するために、各リンクに予張力を付与することし、その条件について、各リンクは、予張力付与前において、所定のピッチＰ、所定の第１ピン固定部傾斜角度αおよび所定の第２ピン固定部傾斜角度βを有しており、ΔＰ＞０、Δα＞０およびΔβ＞０として、予張力付与後において、所定のピッチＰ＋ΔＰ、所定の第１ピン固定部傾斜角度α−Δαおよび所定の第２ピン固定部傾斜角度β＋Δβを有しているようにすることにより、完成品のチェーンでは、設計値の諸元を有するリンクが得られることになり、設計通りの騒音低減効果および耐久性能を得ることができる。
【発明を実施するための最良の形態】
【００２６】
以下、図面を参照して、この発明の実施形態について説明する。以下の説明において、上下は、図３の上下をいうものとする。
【００２７】
図１および図２は、この発明による動力伝達チェーンの一部を示しており、動力伝達チェーン(1)は、チェーン長さ方向に所定間隔をおいて設けられた前後挿通部(12)(13)を有する複数のリンク(11)と、チェーン幅方向に並ぶリンク(11)同士を長さ方向に屈曲可能に連結する複数のピン（第１ピン）(14)およびインターピース（第２ピン）(15)とを備えている。
【００２８】
図３に示すように、前挿通部(12)は、ピン(14)（実線で示す）が固定されるピン固定部(12a)およびインターピース(15)（二点鎖線で示す）が移動可能に嵌め合わせられるインターピース可動部(12b)からなり、後挿通部(13)は、ピン(14)（二点鎖線で示す）が移動可能に嵌め合わせられるピン可動部(13a)およびインターピース(15)（実線で示す）が固定されるインターピース固定部(13b)からなる。そして、チェーン幅方向に並ぶリンク(11)を連結するに際しては、一のリンク(11)の前挿通部(12)と他のリンク(11)の後挿通部(13)とが対応するようにリンク(11)同士が重ねられ、ピン(14)が一のリンク(11)の前挿通部(12)に固定されかつ他のリンク(11)の後挿通部(13)に移動可能に嵌め合わせられ、インターピース(15)が一のリンク(11)の前挿通部(12)に移動可能に嵌め合わせられかつ他のリンク(11)の後挿通部(13)に固定される。そして、このピン(14)とインターピース(15)とが相対的に転がり接触移動することにより、リンク(11)同士の長さ方向（前後方向）の屈曲が可能とされる。
【００２９】
ピン(14)を基準としたピン(14)とインターピース(15)との接触位置の軌跡は、円のインボリュートとされており、この実施形態では、ピン(14)の接触面(14a)が、断面において半径Ｒｂ、中心Ｍの基礎円を持つインボリュート形状を有し、インターピース(15)の接触面(15a)が平坦面（断面形状が直線）とされている。これにより、各リンク(11)がチェーン(1)の直線部分から円弧部分へまたは円弧部分から直線部分へと移行する際、前挿通部(12)においては、インターピース(15)がインターピース可動部(12b)内を固定状態のピン(14)に対してその接触面(15a)がピン(14)の接触面(14a)に転がり接触（若干のすべり接触を含む）しながら移動し、後挿通部(13)においては、ピン(14)が固定状態のインターピース(15)に対してその接触面(14a)がインターピース(15)の接触面(15a)に転がり接触（若干のすべり接触を含む）しながらピン可動部(13a)内を移動する。なお、図３において、符号ＡおよびＢで示す箇所は、チェーン(1)の直線部分においてピン(14)とインターピース(15)とが接触している線（断面では点）であり、ＡＢ間の距離がピッチである。
【００３０】
チェーン(1)は、幅方向同位相の複数のリンクで構成されるリンク列を進行方向（前後方向）に３つ並べて１つのリンクユニットとし、この３列のリンク列からなるリンクユニットを進行方向に複数連結して形成されている。この実施形態では、リンク枚数が９枚のリンク列とリンク枚数が８枚のリンク列２つとが１つのリンクユニットとされている。
【００３１】
この動力伝達チェーン(1)は、必要な数のピン(14)およびインターピース(15)を台上に垂直状に保持した後、リンク(11)を１つずつあるいは数枚まとめて圧入していくことにより製造される。この圧入は、ピン(14)およびインターピース(15)の上下縁部とピン固定部(12a)およびインターピース固定部(13b)の上下縁部との間において行われており、その圧入代は０．００５ｍｍ〜０．１ｍｍとされている。こうして、組み立てられたチェーン(1)には張力が付与（予張）される。
【００３２】
予張に際しては、各リンク(11)のチェーン(1)の内側になる部分（図３の下側の部分）の変形代が同外側になる部分（図３の上側の部分）に比べて大きく取られて、予張力付与工程において、各リンク(11)のチェーン(1)の内側になる部分の残留圧縮応力が同外側になる部分に比べて大きくなるように、予張力が付与される。
【００３３】
図４において、実線Ｅは予張力付与前のリンク(11)の形状を、二点鎖線Ｄは予張力付与後のリンク(11)の形状をそれぞれ示している。リンク(11)は、予張力付与前において、所定のピッチＰ、所定の第１ピン固定部傾斜角度αおよび所定の第２ピン固定部傾斜角度βを有している。ピッチＰは、前挿通部(12)内におけるピン（第１ピン）(14)とインターピース（第２ピン）(15)との接触位置（図３のＡ）から後挿通部(13)内におけるピン(14)とインターピース(15)との接触位置（図３のＢ）までの距離であり、第１ピン固定部傾斜角度αは、リンク(11)のピン固定部(12a)（のピン(14)に接している面）がチェーン進行方向Ｃとなす角度であり、第２ピン固定部傾斜角度βは、リンク(11)のインターピース固定部(13b)（のインターピース(15)に接している面）がチェーン進行方向Ｃとなす角度である。
【００３４】
そして、予張力が付与されることにより、ΔＰ＞０、Δα＞０およびΔβ＞０として、ピッチがＰ＋ΔＰ、第１ピン固定部傾斜角度がα−Δα、第２ピン固定部傾斜角度がβ＋Δβとなる。すなわち、予張によってピッチＰが大きくなる（進行方向に長くなる）とともに、予張前のピン固定部(12a')およびインターピース固定部(13b')が予張後のピン固定部(12a)およびインターピース固定部(13b)へとハの字状に（図の下部が広がるように）変化する。
【００３５】
したがって、リンク(11)の適正な形状が設計された場合、予張力付与前の諸元Ｐ、αおよびβを設計値とするのではなく、予張力付与後の諸元Ｐ＋ΔＰ、α−Δαおよびβ＋Δβが設計値とされ、予張力付与後にこの設計値が得られるように、予張力付与前の諸元Ｐ、αおよびβが選択される。この際、ΔＰ＞０、Δα＞０およびΔβ＞０という関係を確保することで、適正な予張力付与前の諸元を容易に決定することができる。
【００３６】
上記のチェーン式動力伝達チェーン(1)では、ピンの上下移動の繰り返しにより、多角形振動が生じ、これが騒音の要因となる。ピン(14)とインターピース(15)とが相対的に転がり接触移動しかつピン(14)を基準としたピン(14)とインターピース(15)との接触位置の軌跡が円のインボリュートとされていることにより、ピンおよびインターピースの接触面がともに円弧面である場合などと比べて、振動を小さくすることができ、騒音を低減することができる。すなわち、図５に示すように、ピン(14)およびインターピース(15)がプーリ(2)に噛み込まれても同図に一点鎖線で示す直線Ｌの方向にチェーン(1)が引き続けられることにより、噛み込む位置と噛み込み後の移動によるチェーン(1)の多角形振動を最小限に抑えることができる。
【００３７】
図５において、チェーンの曲線部の中心を原点、チェーンの直線部の方向をＸ軸、これに直交する方向をＹ軸、原点とチェーン曲線部のピン転がり中心とを結ぶ線とＹ軸とのなす角をθとする。また、チェーン直線時でのピン(14)とインターピース(15)との接触部を原点とし、チェーン直線方向をｘ軸、これに直交する方向をｙ軸とし、チェーン曲線部のピン(14)とインターピース(15)の接触位置におけるピン接線方向とｙ軸のなす角をγとすると、円のインボリュート曲線は、基礎円の半径をＲｂとして、次の式で与えられる。
【００３８】
ｘ＝Ｒｂ・（sinγ−γ・cosγ）
ｙ＝Ｒｂ・（cosγ＋γ・sinγ）−Ｒｂ
基礎円半径Ｒｂは、例えば、ＣＶＴ用チェーンとして使用される際の最小半径とされる。
【００３９】
インボリュート曲線は、基礎円半径に応じて無数にあり、基礎円半径が変化しても同様の効果を維持できるので、ＲをＣＶＴ用チェーンの最小半径として、インボリュート曲線の許容範囲は、次の式で表される。
【００４０】
ｘ＝ｋ・Ｒ・（sinγ−γ・cosγ）
ｙ＝ｋ・Ｒ・（cosγ＋γ・sinγ）−ｋ・Ｒ
ここで、ＣＶＴ用チェーンとして使用される際のチェーン曲線部の最小半径をＲ、ＣＶＴの変速比をｒとして、ｋを次の範囲とすることが好ましい。
【００４１】
０．２５＜ｋ＜２ｒ
転がり接触移動の軌跡は、第１ピンと第２ピンとの接触位置の軌跡が円のインボリュートに限られるものではなく、ｋ＝０．２５としたときのインボリュート曲線（許容下限曲線）とｋ＝２ｒとしたときのインボリュート曲線（許容上限曲線）との間にある非インボリュート曲線（インボリュート類似曲線）としてもよい。
【００４２】
こうして、ピン(14)およびインターピース(15)形状を適正に設計することにより、騒音低減効果に優れかつ耐久性にも優れたチェーン(1)を得ることができるが、予張力付与前と後とでリンク(11)の形状が変化すると、本来得られるべき騒音低減効果および耐久性向上効果が十分に得られない可能性が生じる。そこで、上述のように、予張力付与前後でのリンク(11)形状の変化に着目し、予張後のリンク(11)において設計値が実現されるようにすることで、リンク(11)の耐久性およびチェーン(1)の騒音低減の両方を向上させることができる。
【００４３】
上記の動力伝達チェーンは、図７に示したＣＶＴで使用されるが、この際、図６に示すように、インターピース(15)がピン(14)よりも短くされ、インターピース(15)の端面がプーリ(2)の固定シーブ(2a)および可動シーブ(2b)の各円錐状シーブ面(2c)(2d)に接触しない状態で、ピン(14)の端面がプーリ(2)の円錐状シーブ面(2c)(2d)に接触し、この接触による摩擦力により動力が伝達される。ピン(14)とインターピース(15)とは、上述のように、転がり接触移動するので、プーリ(2)のシーブ面(2c)(2d)に対してピン(14)はほとんど回転しないことになり、摩擦損失が低減し、高い動力伝達率が確保される。
【図面の簡単な説明】
【００４４】
【図１】図１は、この発明による動力伝達チェーンの１実施形態の一部を示す平面図である。
【図２】図２は、同拡大斜視図である。
【図３】図３は、リンクの拡大側面図である。
【図４】図４は、予張前のリンクと予張後のリンクとを比較するための図である。
【図５】図５は、動力伝達チェーンの噛み込み前後のピンの状態を示す図である。
【図６】図６は、動力伝達チェーンがプーリに取り付けられた状態を示す正面図である。
【図７】図７は、無段変速機を示す斜視図である。
【符号の説明】
【００４５】
(1)       動力伝達チェーン
(2)(3)    プーリ
(2a)(3b)  固定シーブ
(2b)(3a)  可動シーブ
(2c)(2d)  円錐状シーブ面
(11)      リンク
(12)      前挿通部
(13)      後挿通部
(14)      ピン（第１ピン）
(15)      インターピース（第２ピン）
【図１】
2007170617.tif 000003
【図２】
2007170617.tif 000004
【図３】
2007170617.tif 000005
【図４】
2007170617.tif 000006
【図５】
2007170617.tif 000007
【図６】
2007170617.tif 000008
【図７】
2007170617.tif 000009